(57)【特許請求の範囲】
【請求項１】
敷地に植栽される樹木の幹の周囲を囲んでその敷地の地面を覆うツリーキーパーにおいて、
敷地に設置される、各断面が起立壁と水平壁とからなるＬ字状をなす受枠と、この受枠の内側の領域に架設される架台と、前記受枠の内側に前記樹木の幹の周囲を囲んでその敷地の地面を覆うように組み合わされて収納される複数の蓋板とを具備し、
前記架台は、両端部が前記受枠の水平壁に支持されて該受枠の内側の領域に架設され、前記複数の蓋板は、前記断面Ｌ字状の受枠の水平壁と、受枠の内側の領域に架設された前記架台の上面とで支持され、これら蓋板の上に、前記敷地上の舗装材と同じ舗装材が張付けられて設置されることを特徴とする舗装材張付け式ツリーキーパー。
【請求項２】
前記受枠は平面視が正方形の形状で、前記架台は平行に並ぶ一対の縦内枠と、これら縦内枠間に架設された一対の横内枠とで梯子状に構成され、その縦内枠の両端部が前記受枠の水平壁の上に載置されて前記受枠の内側の領域に架設されることを特徴とする請求項１に記載の舗装材張付け式ツリーパー。
【請求項３】
前記蓋体の前記受枠の水平壁に支持される部分は、支持駒を介してその受枠の水平壁の上に載置され、その支持駒により前記蓋体と前記受枠の垂直壁および水平壁との間にそれぞれ隙間が確保されることを特徴とする請求項１または２に記載の舗装材張付け式ツリーキーパー。
【発明の詳細な説明】
【０００１】
【発明の属する技術分野】
この発明は、街路や公園あるいはコミュニティー広場等の敷地に植栽される樹木の根元部分の幹を囲むようにその敷地面に設置される舗装材張付け式ツリーキーパーに関する。
【０００２】
【従来の技術】
一般に、街路や公園あるいはコミュニティー広場等の敷地においては、景観を高めるために化粧仕上げされた舗装材が敷き詰められ、またその敷地の適所に周囲の景観とマッチする樹木が植栽されることが多い。
【０００３】
この場合の施工の手順について説明すると、まず樹木を植栽する部分を除いて敷地の上に舗装材を敷き詰め、樹木の植栽部分を地面が露出する開口部として開放させておき、この舗装材の施工後において、樹木を搬入し、前記開口部を通して地面に樹木の根鉢を植え付ける。そしてこの後、前記開口部に樹木の根元部分の幹の周囲を囲んでその敷地の地面を覆うツリーキーパーを設置する。
【０００４】
【発明が解決しようとする課題】
この種のツリーキーパーは、樹木を保護し、かつ地面の露出を少なくして景観を高めるために設けられるものであるが、従来のツリーキーパーは鋳物製の格子状部材からなり、このため景観がそれほどよくなく、特に樹木の周辺がカラフルなタイル調の舗装材やいわゆる石張りと呼ばれる光沢のある薄板石板からなる舗装材を用いて舗装されているようなときには、周囲の景観とマッチせず、その改善が望まれている。
【０００５】
この発明はこのような点に着目してなされたもので、その目的とするところは、周辺の舗装環境とマッチして良好な景観を保つことができ、かつ強度的にも優れ、高い耐久性が得られる舗装材張付け式ツリーキーパーを提供することにある。
【０００６】
【課題を解決するための手段】
請求項１の発明は、敷地に植栽される樹木の幹の周囲を囲んでその敷地の地面を覆うツリーキーパーにおいて、敷地に設置される、各断面が起立壁と水平壁とからなるＬ字状をなす受枠と、この受枠の内側の領域に架設される架台と、前記受枠の内側に前記樹木の幹の周囲を囲んでその敷地の地面を覆うように組み合わされて収納される複数の蓋板とを具備し、前記架台は、両端部が前記受枠の水平壁に支持されて該受枠の内側の領域に架設され、前記複数の蓋板は、前記断面Ｌ字状の受枠の水平壁と、受枠の内側の領域に架設された前記架台の上面とで支持され、これら蓋板の上に、前記敷地上の舗装材と同じ舗装材が張付けられて設置されることを特徴としている。
請求項２の発明は、前記受枠は平面視が正方形の形状で、前記架台は平行に並ぶ一対の縦内枠と、これら縦内枠間に架設された一対の横内枠とで梯子状に構成され、その縦内枠の両端部が前記受枠の水平壁の上に載置されて前記受枠の内側の領域に架設されることを特徴としている。
請求項３の発明は、前記蓋体の前記受枠の水平壁に支持される部分が、支持駒を介してその受枠の水平壁の上に載置され、その支持駒により前記蓋体と前記受枠の垂直壁および水平壁との間にそれぞれ隙間が確保されることを特徴としている。
【０００７】
【発明の実施の形態】
以下、この発明の実施形態について図面を参照して説明する。
図１にはこの発明の第１の実施形態に係るツリーキーパーの設置状態の平面図を、図２には同じく断面図を示してある。
【０００８】
敷地１の上にはアスファルトやコンクリート等の下地層２を介して例えば化粧仕上げされた薄板石材からなる多数の舗装材３が、樹木４の植栽部５を除いて敷き詰められている。
【０００９】
植栽部５の周縁部にはツリーキーパーの受枠１０が設けられ、この受枠１０は例えば平面視が正方形をなし、モルタル１１に埋め込まれた複数のアンカー１２を介して水平に支持されている。
【００１０】
受枠１０の各断面は、図３に示すように、起立壁１０ａと水平壁１０ｂとからなるＬ字形をなし、この受枠１０の内側に例えば４つに分割された蓋板１４ａ，１４ｂ，１４ｃ，１４ｄが脱着可能に収納設置されている。これら４つの蓋板１４ａ，１４ｂ，１４ｃ，１４ｄはそれぞれ平面視がＬ字形をなし、その両端縁が互いに接触するように正方形に組み合わされて受枠１０の内側に収納され、これら蓋板１４ａ，１４ｂ，１４ｃ，１４ｄの内側縁により樹木４の幹を通す正方形の開口１５が構成されている。
【００１１】
各蓋板１４ａ，１４ｂ，１４ｃ，１４ｄの外側縁部の下面には、複数の支持駒１８が分散して溶接等により取り付けられ、これら支持駒１８の下面にゴム等の弾性体からなるクッション材１９が貼り付けられている。そして各支持駒１８がクッション材１９を介して受枠１０の水平壁１０ｂの上に載置されている。
【００１２】
各支持駒１８の一端側の端部は、蓋板１４ａ，１４ｂ，１４ｃ，１４ｄの外側縁から一定の寸法だけ突出し、その突出分により受枠１０の起立壁１０ａと蓋板１４ａ，１４ｂ，１４ｃ，１４ｄの側縁の起立壁２０との間に一定の例えば９ｍｍ程度の隙間Ｈ１が確保されている。また各蓋板１４ａ，１４ｂ，１４ｃ，１４ｄの下面と受枠１０の水平壁１０ｂとの間に前記隙間Ｈ１に通じる例えば１２ｍｍ程度の隙間Ｈ２が前記支持駒１８により確保されている。
【００１３】
受枠１０の内側の領域には蓋板１４ａ，１４ｂ，１４ｃ，１４ｄの下側に位置して架台２２が架設されている。この架台２２は、平行に並ぶ一対の縦内枠２３と、これら縦内枠２３間に架設された一対の横内枠２４とで梯子状に構成されている。
【００１４】
縦内枠２３および横内枠２４はそれぞれ断面コ字状の鋼材からなり、縦内枠２３の両端部においては、図４および図５に示すように、その起立壁２３ａおよび下部壁２３ｂが切欠され、その切欠部の内側に断面Ｌ字形の支持片２５が溶接等により取り付けられている。
【００１５】
支持片２５の上部の水平壁２５ａは縦内枠２３の上部壁２３ｃと一定の間隔をあけて対向し、この支持片２５の水平壁２５ａと縦内枠２３の上部壁２３ｃとの間隔が前記隙間Ｈ２とほぼ同じ大きさとなっている。
【００１６】
そして各縦内枠２３の両端部における各支持片２５の水平壁２５ａが受枠１０の水平壁１０ｂの上に載置され、これにより架台２２の全体が受枠１０の内側に水平に支持されている。
【００１７】
受枠１０の水平壁１０ｂの上面には、互いに対向する一対のずれ止め片２７が溶接等により取り付けられており、これらずれ止め片２７の相互間に図６に示すように支持片２５の水平壁２５ａが挿入され、これにより架台２２の全体が受枠１０に対する所定の位置に位置決めされている。
【００１８】
横内枠２４の両端の端面には、図７および図８に示すように端板２８が溶接等により取り付けられ、この端板２８が縦内枠２３の起立壁２３ａの外面に突き当てられ、複数のボルト２９および袋ナット３０を介してその起立壁２３ａに締結固定されている。
【００１９】
縦内枠２３の上面と横内枠２４の上面は面一に保たれ、これらの上面つまり架台２２の全体の上面にクッション材３２が貼り付けられている。
【００２０】
架台２２を支持した支持片２５の水平壁２５ａは、縦内枠２３の上部壁２３ｃとの間に前記支持駒１８の高さに相当する間隔があけられており、したがって架台２２の上面は、支持駒１８の高さのレベルの位置に保持され、これにより蓋板１４ａ，１４ｂ，１４ｃ，１４ｄが受枠１０の内側に収納されたときに、その下面が架台２２の上面にクッション材３２を介して接触して支持されるようになっている。
【００２１】
すなわち、各蓋板１４ａ，１４ｂ，１４ｃ，１４ｄは支持駒１８を介して受枠１０の水平壁１０ｂの上に支持されているとともに、架台２２の上面にクッション材３２を介して水平に支持されている。
【００２２】
そして架台２２は、各縦内枠２３が蓋板１４ａ，１４ｂ，１４ｃ，１４ｄにより形成される開口１５の互いに対応する一方の側縁の内側に沿って延び、各横内枠２４が開口１５の互いに対応する他方の側縁の内側に沿って延びるように位置決めされて受枠１０の内側の領域に架設されている。
【００２３】
各蓋板１４ａ，１４ｂ，１４ｃ，１４ｄの下面にはリブ状の補強板３３が溶接等により取り付けられ、また上面にはチャンネル状の補強材３４が溶接等により取り付けられている。そして各蓋板１４ａ，１４ｂ，１４ｃ，１４ｄの上には、敷地１に敷き詰められた舗装材３と同じ舗装材３がモルタル３５を介して張付け固定されている。各蓋板１４ａ，１４ｂ，１４ｃ，１４ｄの上に張付けられた舗装材３は、敷地１に敷き詰められた舗装材３と面一を保つように施工されている。
【００２４】
受枠１０の周辺に沿って敷き詰められた各舗装材３の側縁下部、および各蓋板１４ａ，１４ｂ，１４ｃ，１４ｄの上に張付けられた各舗装材３の側縁下部には、図３に示すように段差状の切欠部３ａが形成されている。そして受枠１０の起立壁１０ａおよび各蓋板１４ａ，１４ｂ，１４ｃ，１４ｄの起立壁２０が舗装材３の切欠部３ａの内側に配置され、これにより受枠１０の起立壁１０ａおよび各蓋板１４ａ，１４ｂ，１４ｃ，１４ｄの起立壁２０のそれぞれの上端面の目地が舗装材３で覆い隠されて舗装面上に露出しない目地なし構造となっている。
【００２５】
なお、このツリーキーパーを構成する各部材は、クッション材１９，３２を除いてすべてがステンレス材となっている。
【００２６】
このようなツリーキーパーにおいては、樹木４の幹の周囲が、敷地１の舗装材３と同じ舗装材３を備える蓋板１４ａ，１４ｂ，１４ｃ，１４ｄにより囲まれ、また受枠１０および各蓋板１４ａ，１４ｂ，１４ｃ，１４ｄの目地も外部に露出せず、したがって敷地１の舗装環境とツリーキーパーが外観的にマッチして良好な景観が得られる。
【００２７】
そして、ツリーキーパーの各蓋板１４ａ，１４ｂ，１４ｃ，１４ｄは、受枠１０の水平壁１０ｂと、この受枠１０の内側の領域に架設された架台２２とで支持され、さらに各蓋板１４ａ，１４ｂ，１４ｃ，１４ｄの下面および上面に補強材３３，３４が設けられており、このため蓋板１４ａ，１４ｂ，１４ｃ，１４ｄの支持構造が強固で、蓋板１４ａ，１４ｂ，１４ｃ，１４ｄの上に工事用車両等の高重量物が乗り込むようなことがあっても、その重量に充分に耐え、長期に亘って良好な耐久性を維持することができる。
【００２８】
また、受枠１０の起立壁１０ａと各蓋板１４ａ，１４ｂ，１４ｃ，１４ｄの外側縁との間にＨ１の隙間が確保され、受枠１０の水平壁１０ｂと各蓋板１４ａ，１４ｂ，１４ｃ，１４ｄの下面との間にはそのＨ１の隙間に通じるＨ２の隙間が確保されており、このため舗装面上に降った雨水がその隙間Ｈ１，Ｈ２を通して敷地１の地中に円滑に流れ込み、舗装面上の排水状態を良好に保つことができる。
【００２９】
施工に際しては、まず受枠１０の内側に架台２２を架設し、ついで各蓋板１４ａ，１４ｂ，１４ｃ，１４ｄを受枠１０の内側に順次収納し、各蓋板１４ａ，１４ｂ，１４ｃ，１４ｄの支持駒１８を受枠１０の水平壁１０ｂに当て、また各蓋板１４ａ，１４ｂ，１４ｃ，１４ｄの下面を架台２２の上面に当てて支持する。
【００３０】
支持駒１８の下面および架台２２の上面にはそれぞれクッション材１９，３２が設けられており、このため蓋板１４ａ，１４ｂ，１４ｃ，１４ｄを受枠１０内に設置する際の衝撃がそのクッション材１９，３２で吸収され、したがって蓋板１４ａ，１４ｂ，１４ｃ，１４ｄの損傷や舗装材３の割れ等を防止することができる。
【００３１】
また、各蓋板１４ａ，１４ｂ，１４ｃ，１４ｄの設置後において、各蓋板１４ａ，１４ｂ，１４ｃ，１４ｄに高重量の荷重が加わった際にも、その荷重がクッション材１９，３２により吸収され、したがって蓋板１４ａ，１４ｂ，１４ｃ，１４ｄの損傷や舗装材３の割れ等を防止することができる。
【００３２】
前記実施形態においては、舗装材３の側縁下部に段差状の切欠部３ａを形成して受枠１０の起立壁１０ａの目地および各蓋板１４ａ，１４ｂ，１４ｃ，１４ｄの起立壁２０の目地を隠すようにしたが、図７に第２の実施形態として示すように、舗装材３に切欠部を形成せずに、受枠１０の起立壁１０ａの上端および各蓋板１４ａ，１４ｂ，１４ｃ，１４ｄの起立壁２０の上端より高いレベルの位置に舗装材３を設けてその各起立壁１０ａ，２０の目地を隠すようにしてもよい。
【００３３】
この場合、蓋板１４ａ，１４ｂ，１４ｃ，１４ｄの上に張付けられた舗装材３については、そのずれ動きを抑えるために舗装材３とその下層のモルタル３５との間にダボ部材３７を設けるようにすることが好ましい。
【００３４】
なお、以上の説明では、それぞれＬ字形をなす４つの蓋板の組み合わせで樹木の周囲を囲んで敷地の地面を覆う覆い体を構成したが、Ｌ字形の４つの蓋板による場合に限らず、例えばＬ字形の複数の蓋板と矩形の複数の蓋板との組み合わせ、あるいは矩形の複数の蓋板のみの組み合わせ等により覆い体を構成するような場合であってもよい。
【００３５】
【発明の効果】
以上説明したようにこの発明によれば、敷地に設置した受枠の内側に架台を架設し、受枠の内側に複数の蓋板を組み合わせて収納し、これら蓋板の上に敷地上の舗装材と同じ舗装材を張付け設置するようにしたから、ツリーキーパーを周辺の舗装環境とマッチさせて良好な景観を保つことができ、また各蓋板が受枠とその内側に架設された架台とで強固に支持され、したがって強度的にも優れ、高い耐久性が得られる。
【図面の簡単な説明】
【図１】この発明の第１の実施形態に係る舗装材張付け式ツリーキーパーの設置状態の平面図。
【図２】同じく断面図。
【図３】そのツリーキーパーの一部の構造を拡大して示す断面図。
【図４】図１中のＡ−Ａ線に沿う断面図。
【図５】そのツリーキーパーの架台の架設支持部分の構造を示す斜視図。
【図６】同じく平面図。
【図７】図１中のＢ−Ｂ線に沿う断面図。
【図８】そのツリーキーパーの架台の縦内枠と横内枠との結合締結部分の構造を示す平面図。
【図９】この発明の第２の実施形態に係る舗装材張付け式ツリーキーパーの一部の構造を示す断面図。
【符号の説明】
１…敷地
３…舗装材
４…樹木
１０…受枠
１０ａ…起立壁
１０ｂ…水平壁
１４ａ〜１４ｄ…蓋板
１５…開口
１８…支持駒
１９…クッション材
２０…起立壁
２２…架台
２３…縦内枠
２４…横内枠
３２…クッション材
【図１】
0003916470.tif 000002
【図２】
0003916470.tif 000003
【図３】
0003916470.tif 000004
【図４】
0003916470.tif 000005
【図５】
0003916470.tif 000006
【図６】
0003916470.tif 000007
【図７】
0003916470.tif 000008
【図８】
0003916470.tif 000009
【図９】
0003916470.tif 000010